(57)【要約】【課題】公衆網またはＩＰ網を利用して通信を行うことができ、かつ、安価なファクシミリ装置を提供することを目的としている。【解決手段】ＩＰ網と接続するためのＶｏＩＰゲートウェイ１１を装置に内蔵しているので、１つの網制御装置を用いてＩＰ網またはアナログ公衆網ＰＳＴＮを切換選択することができ、装置構成が大きくなることを抑制できるので、装置コストを低減することができるという効果を得る。【選択図】　　　　図１
2004007314.tif 000002
【特許請求の範囲】
【請求項１】
ＩＰ網に接続するためのＩＰゲートウェイ手段と、使用する回線として、上記ＩＰゲートウェイ手段または公衆網のいずれかを選択するための網切換手段とを備えた網制御装置を有するファクシミリ装置。
【請求項２】
ＩＰ網に接続するためのＩＰゲートウェイ手段と、使用する回線として、上記ＩＰゲートウェイ手段または公衆網のいずれかを選択するための網切換手段とを備えた網制御装置を有し、
発信時、ＩＰ網または公衆網のうち、相手端末との間の接続料金がより安価になるものを選択し、上記網制御装置により、その選択したＩＰ網または公衆網を選択した後に、発信動作を開始することを特徴とするファクシミリ装置。
【請求項３】
ＩＰ網に接続するためのＩＰゲートウェイ手段と、使用する回線として、上記ＩＰゲートウェイ手段または公衆網のいずれかを選択するための網切換手段と、通話のための電話を備えた網制御装置を有し、
上記電話による発信番号が緊急通報の番号である場合には、上記網切換手段により公衆網を選択することを特徴とするファクシミリ装置。
【請求項４】
装置に供給される電源が停止されるときには、前記網切換手段により、公衆網を選択するようにしたことを特徴とする請求項３記載のファクシミリ装置。
【請求項５】
ＩＰ網に接続するためのＩＰゲートウェイ手段と、使用する回線として、上記ＩＰゲートウェイ手段または公衆網のいずれかを選択するための網切換手段とを備えた網制御装置を有し、
発信時、指定された選択番号が移動体通信網の番号である場合には、上記網制御装置により、公衆網を選択した後に、発信動作を開始することを特徴とするファクシミリ装置。
【請求項６】
ＩＰ網に接続するためのＩＰゲートウェイ手段と、使用する回線として、上記ＩＰゲートウェイ手段または公衆網のいずれかを選択するための網切換手段とを備えた網制御装置を有し、
発信時、多様な呼のルーティングを確保できない場合には、上記網制御装置により、公衆網を選択した後に、発信動作を開始することを特徴とするファクシミリ装置。
【請求項７】
ＩＰ網に接続するためのＩＰゲートウェイ手段と、使用する回線として、上記ＩＰゲートウェイ手段または公衆網のいずれかを選択するための網切換手段とを備えた網制御装置を有し、
発信時、相手端末が発ＩＤによる接続拒否をした場合には、上記網制御装置により、公衆網を選択した後に、発信動作を開始することを特徴とするファクシミリ装置。
【請求項８】
ＩＰ網に接続するためのＩＰゲートウェイ手段と、使用する回線として、上記ＩＰゲートウェイ手段または公衆網のいずれかを選択するための網切換手段とを備えた網制御装置と、
ＩＰ網または公衆網の選択をユーザが行える網選択操作手段を備え、
発信時、上記網選択操作手段の選択操作内容に従って、上記網制御装置により、ＩＰ網または公衆網を選択した後に、発信動作を開始することを特徴とするファクシミリ装置。
【発明の詳細な説明】
【０００１】
【発明の属する技術分野】
本発明は、公衆網またはＩＰ網を利用して通信を行うファクシミリ装置に関する。
【０００２】
【従来の技術】
近年、インターネット等のＩＰ網の拡大に伴って、電話等の音声通信アプリケーションをＩＰ網を利用して行えるようにする、ＶｏＩＰ（Ｖｏｉｃｅ　ｏｖｅｒ　ＩＰ）が広まりつつある。
【０００３】
このＶｏＩＰを利用したファクシミリ通信としては、例えば、特開２０００−４１１３１号公報（インターネットプロトコルアドレス化を用いたファクシミリ中継）などが提案されている。
【０００４】
しかしながら、ＶｏＩＰを利用して通信を行うファクシミリ装置は、現状では、ごく少なく、普及台数の多いアナログ公衆回線網ＰＳＴＮに接続されているファクシミリ装置との通信を行う必要が出てくる。
【０００５】
そこで、例えば、従来のアナログ公衆回線網ＰＳＴＮを利用するファクシミリ装置の回線接続口に、ＶｏＩＰを利用するためのＶｏＩＰゲートウェイと接続する接続口を増設し、アナログ公衆回線網ＰＳＴＮまたはＩＰ網のいずれかに接続できるようにしたファクシミリ装置を構築することが考えられる。
【０００６】
このようなファクシミリ装置では、アナログ公衆回線網ＰＳＴＮを利用したファクシミリ通信と、ＩＰ網を利用したファクシミリ通信の双方を行うことができ、非常に便利である。
【０００７】
【発明が解決しようとする課題】
しかしながら、このような装置では、ＶｏＩＰゲートウェイを外付けしているので、ＶｏＩＰゲートウェイ用の網制御装置を別途設ける必要があり、装置構成が複雑になるとともに、装置が高価になるという不具合を生じる。
【０００８】
本発明は、かかる実情に鑑みてなされたものであり、公衆網またはＩＰ網を利用して通信を行うことができ、かつ、安価なファクシミリ装置を提供することを目的としている。
【０００９】
【課題を解決するための手段】
本発明は、ＩＰ網に接続するためのＩＰゲートウェイ手段と、使用する回線として、上記ＩＰゲートウェイ手段または公衆網のいずれかを選択するための網切換手段とを備えた網制御装置を有するものである。
【００１０】
また、ＩＰ網に接続するためのＩＰゲートウェイ手段と、使用する回線として、上記ＩＰゲートウェイ手段または公衆網のいずれかを選択するための網切換手段とを備えた網制御装置を有し、発信時、ＩＰ網または公衆網のうち、相手端末との間の接続料金がより安価になるものを選択し、上記網制御装置により、その選択したＩＰ網または公衆網を選択した後に、発信動作を開始するようにしたものである。
【００１１】
また、ＩＰ網に接続するためのＩＰゲートウェイ手段と、使用する回線として、上記ＩＰゲートウェイ手段または公衆網のいずれかを選択するための網切換手段と、通話のための電話を備えた網制御装置を有し、上記電話による発信番号が緊急通報の番号である場合には、上記網切換手段により公衆網を選択するようにしたものである。また、装置に供給される電源が停止されるときには、前記網切換手段により、公衆網を選択するようにしたものである。
【００１２】
また、ＩＰ網に接続するためのＩＰゲートウェイ手段と、使用する回線として、上記ＩＰゲートウェイ手段または公衆網のいずれかを選択するための網切換手段とを備えた網制御装置を有し、発信時、指定された選択番号が移動体通信網の番号である場合には、上記網制御装置により、公衆網を選択した後に、発信動作を開始するようにしたものである。
【００１３】
また、ＩＰ網に接続するためのＩＰゲートウェイ手段と、使用する回線として、上記ＩＰゲートウェイ手段または公衆網のいずれかを選択するための網切換手段とを備えた網制御装置を有し、発信時、多様な呼のルーティングを確保できない場合には、上記網制御装置により、公衆網を選択した後に、発信動作を開始するようにしたものである。
【００１４】
また、ＩＰ網に接続するためのＩＰゲートウェイ手段と、使用する回線として、上記ＩＰゲートウェイ手段または公衆網のいずれかを選択するための網切換手段とを備えた網制御装置を有し、発信時、相手端末が発ＩＤによる接続拒否をした場合には、上記網制御装置により、公衆網を選択した後に、発信動作を開始するようにしたものである。
【００１５】
また、ＩＰ網に接続するためのＩＰゲートウェイ手段と、使用する回線として、上記ＩＰゲートウェイ手段または公衆網のいずれかを選択するための網切換手段とを備えた網制御装置と、ＩＰ網または公衆網の選択をユーザが行える網選択操作手段を備え、発信時、上記網選択操作手段の選択操作内容に従って、上記網制御装置により、ＩＰ網または公衆網を選択した後に、発信動作を開始するようにしたものである。
【００１６】
【発明の実施の形態】
以下、添付図面を参照しながら、本発明の実施の形態を詳細に説明する。
【００１７】
図１は、本発明の一実施例にかかるファクシミリ装置を示している。このファクシミリ装置は、基本的な装置機能としては、グループ３ファクシミリ装置機能およびグループ３ファクシミリ通信機能を備えている。
【００１８】
同図において、システム制御部１は、このファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリ装置に固有な各種の情報を記憶するためのものであり、時計回路４は、現在時刻情報を出力するためのものである。
【００１９】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００２０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
ＶｏＩＰゲートウェイ１１は、このファクシミリ装置をＩＰ網と接続するためのものであり、ＶｏＩＰ通信に必要な各種通信機能を備えている。
【００２３】
網制御装置１２は、このファクシミリ装置をアナログ公衆網ＰＳＴＮ、または、ＶｏＩＰゲートウェイ１１を介してＩＰ網へ接続するためのものであり、自動発着信機能を備えている。また、内蔵電話１３および外付電話１４は、それぞれ通話を行うためのものである。
【００２４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２５】
また、網制御装置１１とグループ３ファクシミリモデム１０との間のデータのやりとりは、直接行なわれている。
【００２６】
また、本実施例では、発信時にＩＰ網とアナログ公衆回線網ＰＳＴＮのいずれを選択するかを判断するための基準として、通話料金を適用する。そのために、それぞれの電話番号について、単位時間あたりのＩＰ網とアナログ公衆網ＰＳＴＮの通話料金を、時刻帯毎に記憶した接続料金テーブル（図示略）を備えている。この接続料金テーブルは、例えば、システムメモリ２に記憶される。
【００２７】
図２は、網制御装置１２の構成例を示している。
【００２８】
同図において、アナログ公衆回線網ＰＳＴＮの回線に接続される端子Ｌ１，Ｌ２は、網切換リレー１５の常閉接点１５ａｂ，１５ｂｂにそれぞれ接続されている。網切換リレー１５の常開接点１５ａａ，１５ｂａには、ＶｏＩＰゲートウェイ１１の装置側回線接続端に接続されている。
【００２９】
また、網切換リレー１５の一方のコモン接点１５ａｃは、回線リレー１６の一方のコモン接点１６ａｃに接続されており、他方のコモン接点１５ｂｃは、直流検出回路１７を介して、回線リレー１６の他方のコモン接点１６ｂｃに接続されている。
【００３０】
回線リレー１６の常開接点１６ａａ，１６ｂａは、それぞれ整流器１８の入力端に接続されており、また、回線リレー１６の常閉接点１６ａｂ，１６ｂｂは、外付け電話１４に接続されるとともに、リンギング検出回路１９の入力端に接続されている。
【００３１】
整流器１８の出力は、フックスイッチ２０を介して、信号トランス２１の一次側巻線に接続されている。また、信号トランス２１の二次側巻線の出力端は、グループ３ファクシミリモデム１０および内蔵電話１３に接続される。
【００３２】
また、ＶｏＩＰゲートウェイ１１は、システム制御部１に対し、ＩＰ網呼情報信号ＳＳ１、ＩＰ網呼接続信号ＳＳ２を出力するとともに、システム制御部１からは、相手先識別信号（電話番号）ＳＳ３が加えられる。
【００３３】
また、網切換リレー１５は、システム制御部１から出力される切換信号ＳＬ１により、その切換動作が制御される。また、回線リレー１６は、システム制御部１から出力される切換信号ＳＬ２により、その切換動作が制御される。
【００３４】
また、直流検出回路１７は、アナログ公衆回線網ＰＳＴＮの回線の直流ループを検出するものであり、その検出信号ＳＣ１は、システム制御部１へ出力されている。
【００３５】
また、フックスイッチ２０は、回線のオンフックおよびオフフックを制御するものであり、システム制御部１から出力される制御信号ＳＳ４により、そのオンオフ動作が制御される。
【００３６】
また、リンギング検出回路１９は、アナログ公衆回線網ＰＳＴＮから受信するリンギング信号を検出するものであり、その検出信号ＳＣ２は、システム制御部１へ出力されている。
【００３７】
以上の構成で、通常の状態では、網制御装置１２の網切換リレー１５および回線リレー１６は、それぞれ常閉接点側へ切換動作している。したがって、通常の状態では、アナログ公衆回線網ＰＳＴＮの回線が、網切換リレー１５および回線リレー１６を介して、外付電話１４へ接続されている。
【００３８】
これによって、例えば、停電時などでファクシミリ装置に電源が供給されていない状態では、外付電話１４を用いて、アナログ公衆回線網ＰＳＴＮを介して、相手側へ発呼したり、着呼を受けたりすることができる。
【００３９】
図３は、着信時の処理の一例を示している。
【００４０】
着信動作に関しては、まず、システム制御部１は、リンギング検出回路１９がリンギングを検出して検出信号ＳＣ２を出力するか、あるいは、ＶｏＩＰゲートウェイ１１からＩＰ網呼接続信号ＳＳ２を受信することを監視している（判断１０１，１０２のＮＯループ）。
【００４１】
リンギング検出回路１９がリンギングを検出して検出信号ＳＣ２を出力した場合で、判断１０１の結果がＹＥＳになると、システム制御部１は、切換信号ＳＬ２を出力して回線リレー１６を常開接点側（すなわち、ファクシミリ装置側）へ切換えるとともに、制御信号ＳＳ４によりフックスイッチ２０をオンする（処理１０３）。
【００４２】
これにより、アナログ公衆回線網ＰＳＴＮの回線が網切換リレー１５および回線リレー１６を介して、ファクシミリ装置側へ接続されるので、グループ３ファクシミリモデム１０および内蔵電話１３を使用して、所定の受信または受話動作を行う（処理１０４）。
【００４３】
この処理１０４が終了すると、システム制御部１は、切換信号ＳＬ２を出力して回線リレー１６を常閉接点側（すなわち、外付電話側）へ切換えるとともに、制御信号ＳＳ４によりフックスイッチ２０をオフして回線を復旧し（処理１０４）、初期状態へと復帰する。
【００４４】
また、ＶｏＩＰゲートウェイ１１からＩＰ網呼接続信号ＳＳ２を受信した場合で、判断１０２の結果がＹＥＳになるときには、システム制御部１は、切換信号ＳＬ１を出力して網切換リレー１５を常開接点側（すなわち、ＩＰ網側）へ切換え、切換信号ＳＬ２を出力して回線リレー１６を常開接点側（すなわち、ファクシミリ装置側）へ切換え、さらに、制御信号ＳＳ４によりフックスイッチ２０をオンする（処理１０６）。
【００４５】
これにより、ＩＰ網が網切換リレー１５および回線リレー１６を介して、ファクシミリ装置側へ接続されるので、グループ３ファクシミリモデム１０および内蔵電話１３を使用して、所定の受信または受話動作を行う（処理１０７）。
【００４６】
この処理１０４が終了すると、システム制御部１は、切換信号ＳＬ１を出力して網切換リレー１５を常閉接点側（すなわち、アナログ公衆回線網ＰＳＴＮの回線側）へ切換え、切換信号ＳＬ２を出力して回線リレー１６を常閉接点側（すなわち、外付電話側）へ切換え、さらに、制御信号ＳＳ４によりフックスイッチ２０をオフして回線を復旧し（処理１０８）、初期状態へと復帰する。
【００４７】
図４、図５および図６は、ファクシミリ装置の発信時の処理の一例を示している。
【００４８】
発信動作に関しては、システム制御部１は、まず、ファクシミリ装置または内蔵電話１３または外付電話１４の発信動作があることを監視している（判断２０１のＮＯループ）。ここで、外付電話１４については、外付電話１４がオフフック状態となり、操作表示部７が操作されて、電話番号が入力される場合に、外付電話１４に関する発信動作を行う。
【００４９】
ファクシミリ装置または内蔵電話１３または外付電話１４の発信動作を検出し、判断２０１の結果がＹＥＳになるときには、外付電話１４の発信動作であったかどうかを調べる（判断２０２）。
【００５０】
判断２０２の結果がＹＥＳになるときには、ユーザより指定された回線が、アナログ公衆回線網ＰＳＴＮであるかあるいはＩＰ網であるか、あるいは、網の指定がされていなかったかどうかを調べる（判断２０３，２０４）。
【００５１】
網の指定がされていなかった場合で、判断２０４の結果がＮＯになるときには、接続料金テーブルを参照して、指定された電話番号について、ＩＰ網とアナログ公衆網ＰＳＴＮのいずれが通話料金が安価であるかを調べ、安価な方を使用する網として決定する（処理２０５）。
【００５２】
この処理２０５でＩＰ網を使用すると決定された場合で、判断２０６の結果がＹＥＳになる場合、および、ユーザがＩＰ網を指定した場合で、判断２０４の結果がＹＥＳになる場合には、切換信号ＳＬ２により、網切換リレー１５を常開接点側へ接続し（処理２０７）、ＶｏＩＰゲートウェイ１１を、網切換リレー１５を介して外付電話１４へ接続する。
【００５３】
その状態で、外付電話１４の発呼処理（処理２０８）、および、通話処理を行い（送話処理；処理２０９）、この処理２０９を終了すると、切換信号ＳＬ２により、網切換リレー１５を常閉接点側へ切換（処理２１０）、初期状態へ復帰する。
【００５４】
また、処理２０５でアナログ公衆網ＰＳＴＮを使用すると決定された場合で、判断２０６の結果がＮＯになる場合、および、ユーザがアナログ公衆網ＰＳＴＮを指定した場合で、判断２０３の結果がＹＥＳになる場合には、その状態で、網切換リレー１５を介して、アナログ公衆網ＰＳＴＮと外付電話１４が接続されているので、外付電話１４による発呼処理（処理２１１）、および、通話処理を行い（処理２１２）、この処理２１２を終了すると、この動作を終了する。この場合、終了時点で初期状態である。
【００５５】
また、外付電話１４の発信動作ではなく、判断２０２の結果がＮＯになるときには、内蔵電話１３またはファクシミリ装置側の発信動作が操作された場合である。
【００５６】
したがって、この場合には、ユーザより指定された回線が、アナログ公衆回線網ＰＳＴＮであるかあるいはＩＰ網であるか、あるいは、網の指定がされていなかったかどうかを調べる（判断２１５，２１６）。
【００５７】
網の指定がされていなかった場合で、判断２１６の結果がＮＯになるときには、接続料金テーブルを参照して、指定された電話番号について、ＩＰ網とアナログ公衆網ＰＳＴＮのいずれが通話料金が安価であるかを調べ、安価な方を使用する網として決定する（処理２１７）。
【００５８】
この処理２１７でアナログ公衆網ＰＳＴＮを使用すると決定された場合で、判断２１８の結果がＹＥＳになるとき、および、ユーザによりアナログ公衆網ＰＳＴＮが指定された場合で判断２１５の結果がＹＥＳになるときには、システム制御部１は、切換信号ＳＬ２を出力して回線リレー１６を常開接点側（すなわち、ファクシミリ装置側）へ切換えるとともに、制御信号ＳＳ４によりフックスイッチ２０をオンする（処理２１９）。
【００５９】
これにより、アナログ公衆回線網ＰＳＴＮの回線が網切換リレー１５および回線リレー１６を介して、グループ３ファクシミリモデム１０（ファクシミリ装置）および内蔵電話１３へ接続されるので、指定された電話番号へ発呼し（処理２２０）、グループ３ファクシミリモデム１０および内蔵電話１３を使用して、所定の送信または送話動作を行う（処理２２１）。
【００６０】
そして、処理２２１が終了すると、システム制御部１は、切換信号ＳＬ２を出力して回線リレー１６を常開接点側（すなわち、外付電話側）へ切換えるとともに、制御信号ＳＳ４によりフックスイッチ２０をオフして回線を復旧する（処理２２２）。これにより、初期状態へ復帰する。
【００６１】
また、処理２１７でＩＰ網を使用すると決定された場合で、判断２１８の結果がＮＯになるとき、および、ユーザによりＩＰ網が指定されている場合で、判断２１６の結果がＹＥＳになるときには、指定された電話番号が特番（１１０，１１９等）であるかどうかを調べ（判断２２５）、判断２２５の結果がＮＯになるときには、指定された電話番号が移動体通信端末をあらわす０Ａ０で始まる番号（０Ａ０番号）であるかどうかを調べる（判断２２６）。判断２２５の結果がＹＥＳになるとき、および、判断２２６の結果がＹＥＳになるときには、ＩＰ網を使用できない場合であるので、処理２１９へ移行し、アナログ公衆網ＰＳＴＮを使用する通信動作を行う。
【００６２】
また、判断２２６の結果がＮＯになるときには、ＩＰ網を用いた通信動作を行う。この場合、システム制御部１は、切換信号ＳＬ１を出力して網切換リレー１５を常開接点側（すなわち、ＩＰ網側）へ切換え、切換信号ＳＬ２を出力して回線リレー１６を常開接点側（すなわち、ファクシミリ装置側）へ切換え、さらに、制御信号ＳＳ４によりフックスイッチ２０をオンする（処理２２７）。
【００６３】
これにより、ＩＰ網が網切換リレー１５および回線リレー１６を介して、ファクシミリ装置側へ接続されるので、まず、ＩＰ網を用いた発呼動作を行う（処理２２８）。
【００６４】
この発呼動作について、ＩＰ網から多様な呼のルーティングが確保できたかどうかを調べ（判断２２９）、判断２２９の結果がＹＥＳになるときには、相手端末が、発ＩＤによる接続を拒否したかどうかを調べる（判断２３０）。
【００６５】
判断２３０の結果がＮＯになるときには、グループ３ファクシミリモデム１０および内蔵電話１３を使用して、所定の送信または送話動作を行う（処理２３１）。
【００６６】
この処理２３１が終了すると、システム制御部１は、切換信号ＳＬ１を出力して網切換リレー１５を常閉接点側（すなわち、アナログ公衆回線網ＰＳＴＮの回線側）へ切換え、切換信号ＳＬ２を出力して回線リレー１６を常閉接点側（すなわち、外付電話側）へ切換え、さらに、制御信号ＳＳ４によりフックスイッチ２０をオフして回線を復旧し（処理２３２）、初期状態へと復帰する。
【００６７】
また、判断２２９の結果がＮＯになるとき、および、判断２３０の結果がＹＥＳになるときには、ＩＰ網を利用した通信動作を行うことができない。そこで、システム制御部１は、切換信号ＳＬ１を出力して網切換リレー１５を常閉接点側（すなわち、アナログ公衆回線網ＰＳＴＮの回線側）へ切換え、切換信号ＳＬ２を出力して回線リレー１６を常閉接点側（すなわち、外付電話側）へ切換え、さらに、制御信号ＳＳ４によりフックスイッチ２０をオフして回線を復旧し（処理２３３）、初期状態へと復帰する。
【００６８】
このようにして、本実施例では、ＩＰ網と接続するためのＶｏＩＰゲートウェイ１１を装置に内蔵しているので、１つの網制御装置１２を用いてＩＰ網またはアナログ公衆網ＰＳＴＮを切換選択することができ、装置構成が大きくなることを抑制できるので、装置コストを低減することができる。
【００６９】
また、発信時に網の指定がない場合には、そのときに指定された電話番号に基づいて、通信料金を判断し、通信料金がより安価になる網を選択するようにしているので、通信料金を低減することができる。
【００７０】
【発明の効果】
以上説明したように、本発明によれば、ＩＰ網と接続するためのＶｏＩＰゲートウェイ１１を装置に内蔵しているので、１つの網制御装置を用いてＩＰ網またはアナログ公衆網ＰＳＴＮを切換選択することができ、装置構成が大きくなることを抑制できるので、装置コストを低減することができるという効果を得る。
【００７１】
また、発信時に網の指定がない場合には、そのときに指定された電話番号に基づいて、通信料金を判断し、通信料金がより安価になる網を選択するようにしているので、通信料金を低減することができるという効果も得る。
【図面の簡単な説明】
【図１】本発明の一実施例にかかるファクシミリ装置を示したブロック図。
【図２】網制御装置１２の構成例を示したブロック図。
【図３】着信時の処理の一例を示したフローチャート。
【図４】ファクシミリ装置の発信時の処理の一例を示したフローチャート。
【図５】ファクシミリ装置の発信時の処理の一例を示したフローチャート（続き）。
【図６】ファクシミリ装置の発信時の処理の一例を示したフローチャート（続き）。
【符号の説明】
１　システム制御部
１１　ＶｏＩＰゲートウェイ
１２　網制御装置
【図１】
2004007314.tif 000003
【図２】
2004007314.tif 000004
【図３】
2004007314.tif 000005
【図４】
2004007314.tif 000006
【図５】
2004007314.tif 000007
【図６】
2004007314.tif 000008